(57)【要約】【課題】構造が簡単で小型かつ操作性に優れ、しかも簡単な操作で携帯に便利な携帯状態と物品の吊り下げに便利な使用状態とを容易に得ることのできる安価な使い勝手のよい吊り下げ具を提供する。【解決手段】掛け止め部２１を具備するベース体２の連結部２２と、吊り下げ部３１を具備する吊り下げ体３の連結部３２とを連結軸４を介して連結するとともに、吊り下げ部３１が掛け止め部２１と平行に隣接する格納位置ＭＰと、吊り下げ部３１が連結軸４を中心として掛け止め部２１の反対側に離間する吊り下げ位置ＵＰとの２位置を取り得るように変位可能に形成するとともに、掛け止め部２１の掛け止め方向に沿った線ＬＨとベース体２の連結面２２とのなす平面角度αを５−９０度の範囲から選択する。【選択図】図１
2011200286.tif 000002
【特許請求の範囲】
【請求項１】
固定対象物に掛け止めるための掛け止め部および連結部を具備するベース体と、
物品を吊り下げるための吊り下げ部および連結部を具備する吊り下げ体と、
前記ベース体の連結部および前記吊り下げ体の連結部を相対回転可能に連結するための連結軸とを有しており、
前記ベース体の連結部および前記吊り下げ体の連結部のそれぞれには、前記連結軸の軸線に対して直交する方向に延在する平坦な連結面が形成されており、
前記ベース体の連結面と前記吊り下げ体の連結面とが対向配置されており、
前記ベース体および前記吊り下げ体は、前記吊り下げ部が前記掛け止め部と平行に隣接する格納位置と、前記吊り下げ部が前記連結軸を中心として前記掛け止め部の反対側に離間する吊り下げ位置との２位置を取り得るように変位可能に形成されており、
前記掛け止め部の掛け止め方向に沿った線と前記ベース体の連結面とのなす平面角度が５−９０度の範囲から選択され、前記吊り下げ位置における前記掛け止め部の掛け止め方向に沿った線と前記吊り下げ部の吊り下げ方向に沿った線とのなす平面角度が１０−１８０度の範囲における所定角度となることを特徴とする吊り下げ具。
【請求項２】
前記掛け止め部の掛け止め方向に沿った線と前記ベース体の連結面とのなす平面角度が４５度であり、前記吊り下げ位置における前記掛け止め部の掛け止め方向に沿った線と前記吊り下げ部の吊り下げ方向に沿った線とのなす平面角度が９０度であることを特徴とする請求項１に記載の吊り下げ具。
【請求項３】
前記掛け止め部および前記吊り下げ部が前記格納位置において対称をなす鉤状に形成されている請求項１または請求項２に記載の吊り下げ具。
【発明の詳細な説明】
【技術分野】
【０００１】
本発明は、衣類や鞄などの物品を吊下げ保持する吊り下げ具に関する。
【背景技術】
【０００２】
従来から、物品を吊り下げるために、フックに代表される吊り下げ具が用いられている。
【０００３】
このような物品を吊り下げる吊り下げ具として、例えば、ほぼＣ字状に形成された２つのフックを互いに反対向きとし、全体としてＳ字状に一体形成されたＳ字状吊り下げ具が知られている。
【０００４】
このようなＳ字状吊り下げ具によれば、一方のフックを固定対象物に掛け止め、他方のフックに物品を吊り下げることができるようになっている。
【０００５】
また、Ｓ字状吊り下げ具としては、２つのフックの中央部分で９０度ひねって２つのフックを水平方向に直角に形成したものもある（例えば、特許文献１参照）。
【０００６】
このような２つのフックを９０度ひねったＳ字状吊り下げ具によれば、物品を水平方向に９０度回転させた状態で吊り下げることができるようになっている。
【０００７】
ところで、鞄、買い物袋、荷物袋などの物品をもって出勤、通学、外出する場合、途中で吊り下げ具を携帯し、物品を吊り下げる使い方をされる場合がある。
【０００８】
例えば、鞄、買い物袋、荷物袋などの物品をもってパチンコに行く場合、遊技の際には、物品が邪魔になるので、多数のパチンコ台が設置されている支持枠の、パチンコ台の下方に張り出したカウンターに一方のフックを掛け止め、他方のフックに物品を吊り下げる場合である。この場合、Ｓ字状吊り下げを用いると、２つのフックが平行に形成されているから、物品、例えば鞄の長手方向がカウンターの長手方向に配置される状態で吊り下げられることになるので、カウンターの長手方向のスペースを多く必要とし、隣位するパチンコ台が使用されない場合には問題はないが、隣位するパチンコ台が使用されると、鞄の長手方向の端部が隣のパチンコ台を使用する遊技者あるいは自身にぶつかって邪魔になるという問題点があった。
【０００９】
この場合、２つのフックを９０度ひねったＳ字状吊り下げ具を用いると、鞄の長手方向がカウンターの長手方向対して直交する方向に配置された状態となるので、鞄が邪魔になることはない。
【００１０】
しかしながら、従来のＳ字状吊り下げ具は、ポケットなどに入れて持ち運ぶなどの携帯性を考慮されておらず、２つのフックの間隔が大きく大型で、携帯に不便なものであった。
【００１１】
特に、９０度ひねったＳ字状吊り下げ具は、２つのフックのなす角度が９０度とされているのでかさばるものであり、ポケットなどに入れて持ち運ぶことが困難で、携帯により不便なものであった。
【００１２】
そこで、携帯に便利な２つのフックを折り畳み可能にするとともに、フックの角度を調節することのできる吊り下げ具が提案されている（例えば、特許文献２参照）。
【００１３】
この折り畳み可能にした吊り下げ具は、連結アームと、それぞれが枢設体および枢軸で連結アームの両端に枢設された１対のフックとを具え、そのうち一方のフックの外径が他方のフックの内径より小さく形成されている。そして、１対のフックは、枢軸により外向きに展開されて二つの反対側に位置するフックとされて、それぞれ固定対象物への吊り掛けと、フックに吊り掛ける必要がある物品の吊り掛けに供され、かつ各フックがそれぞれのフックと枢設体の間に設けられた枢設構造により水平に回転自在とされてフック開口の方向を調整でき、かつ１対のフックはその枢軸により内向きに折り畳んで、相互に隣接するように並列に配列して小体積として携帯に便利とすることができるように構成されている。
【先行技術文献】
【特許文献】
【００１４】
【特許文献１】実開平０６−４１５７７号公報
【特許文献２】特開２００６−１９８２２２号公報
【発明の概要】
【発明が解決しようとする課題】
【００１５】
しかしながら、従来の携帯可能な吊り下げ具においては、連結アームと、それぞれが枢設体および枢軸で連結アームの両端に枢設された１対のフックとを有しており、構造が複雑で部品点数が多く、製造に手間がかかりコストが高いという問題点があった。
【００１６】
また、従来の携帯可能な吊り下げ具においては、１対のフックが小フックおよび大フックとされるとともに、大フックの内側に小フックが収納されるように形成されており、使用時においては、大フックを枢設構造により回転させて、小フックを大フックの拘束より離脱させるとともに、小フックを枢軸で軸方向に展開させ、およびつづいて枢軸を軸として小フックを上向きに回転させて、小フックを大フックと反対側に位置させ、つづいて、一方のフック例えば小フックを固定対象物に掛け止め、他方のフック例えば大フックに物品を吊り下げ、また、吊り下げた物品を任意の角度位置に回転するという面倒な操作を必要とし、さらに、使用後に携帯状態に戻すには、使用時と逆の操作を必要とするので、使い勝手がよくないという問題点もあった。
【００１７】
なお、従来の携帯可能な吊り下げ具においては、枢設構造により吊り下げた物品を回転させることができることに起因して、何らかの理由により物品に水平方向から外力が加わった場合、例えば隣のパチンコ台を使用する遊技者がパチンコ台から離れるときに、吊り下げた鞄に接触したりすると、使用者の意思とは関係なく鞄が水平方向に回転してしまうという問題点もあった。
【００１８】
本発明はこの点に鑑みてなされたものであり、構造が簡単で小型かつ操作性に優れ、しかも簡単な操作で携帯に便利な携帯状態と物品の吊り下げに便利な使用状態とを容易に得ることのできる安価な使い勝手のよい吊り下げ具を提供することを目的とする。
【課題を解決するための手段】
【００１９】
前述した目的を達成するため、特許請求の範囲の請求項１に記載の本発明の吊り下げ具の特徴は、
固定対象物に掛け止めるための掛け止め部および連結部を具備するベース体と、
物品を吊り下げるための吊り下げ部および連結部を具備する吊り下げ体と、
前記ベース体の連結部および前記吊り下げ体の連結部を相対回転可能に連結するための連結軸とを有しており、
前記ベース体の連結部および前記吊り下げ体の連結部のそれぞれには、前記連結軸の軸線に対して直交する方向に延在する平坦な連結面が形成されており、
前記ベース体の連結面と前記吊り下げ体の連結面とが対向配置されており、
前記ベース体および前記吊り下げ体は、前記吊り下げ部が前記掛け止め部と平行に隣接する格納位置と、前記吊り下げ部が前記連結軸を中心として前記掛け止め部の反対側に離間する吊り下げ位置との２位置を取り得るように変位可能に形成されており、
前記掛け止め部の掛け止め方向に沿った線と前記ベース体の連結面とのなす平面角度が５−９０度の範囲から選択され、前記吊り下げ位置における前記掛け止め部の掛け止め方向に沿った線と前記吊り下げ部の吊り下げ方向に沿った線とのなす平面角度が１０−１８０度の範囲における所定角度となる点にある。
【００２０】
そして、本発明の吊り下げ具は、上述のように、掛け止め部の掛け止め方向に沿った線とベース体の連結面とのなす平面角度を５−９０度の範囲から選択する構成とされているから、吊り下げ位置における掛け止め部の掛け止め方向に沿った線と吊り下げ部の吊り下げ方向に沿った線とのなす平面角度を１０−１８０度の範囲における所定角度とすることができる。また、ベース体および吊り下げ体を連結軸により相対回転可能に連結した構成とされているから、構成部品の部品点数をベース体、吊り下げ体および連結軸の３点とすることができるので、小型化、軽量化、低コスト化を容易に図ることができる。さらに、ベース体および吊り下げ体を相対回転させるという簡単な操作により、格納位置と吊り下げ位置を選択することができるので、操作性が向上する。さらにまた、ベース体および吊り下げ体を格納位置に位置させると、掛け止め部と吊り下げ部とが重なるように閉じた携帯状態とすることができるので、かさばらず携帯に便利なものとすることができる。またさらに、ベース体および吊り下げ体を吊り下げ位置に位置させると、掛け止め部に対して吊り下げ部の位置を掛け止め部の掛け止め方向に沿った線と吊り下げ部の吊り下げ方向に沿った線とのなす平面角度の角度だけ水平方向に回転させた位置とすることができるので、ベース体および吊り下げ体を相対回転させるという簡単な操作により、掛け止め部と吊り下げ体の吊り下げ部とが平行でない吊り下げ状態を容易かつ確実に得ることができる。さらにまた、吊り下げ位置における吊り下げ部の前記平面角度が１０−１８０度の範囲における所定角度に固定されているので、吊り下げ部に吊り下げた物品に何らかの理由により水平方向から外力が加わった場合であっても、物品が水平方向に回転するのを確実に防止することができる。したがって、本発明の吊り下げ具は、構造が簡単で小型かつ操作性に優れ、しかも簡単な操作で携帯に便利な携帯状態と物品の吊り下げに便利な使用状態とを容易に得ることのできる安価な使い勝手のよいものとすることができる。
【００２１】
また、請求項２に記載の本発明の吊り下げ具の特徴は、請求項１において、前記掛け止め部の掛け止め方向に沿った線と前記ベース体の連結面とのなす平面角度が４５度であり、前記吊り下げ位置における前記掛け止め部の掛け止め方向に沿った線と前記吊り下げ部の吊り下げ方向に沿った線とのなす平面角度が９０度である点にある。そして、このような構成を採用したことにより、吊り下げ位置における掛け止め部の掛け止め方向に沿った線と吊り下げ部の吊り下げ方向に沿った線とのなす平面角度を９０度とすることができる。したがって、固定対象物に対して物品を容易に水平方向に直角にして吊り下げることができる。
【００２２】
さらに、請求項３に記載の本発明の吊り下げ具の特徴は、請求項１または請求項２において、前記掛け止め部および前記吊り下げ部が前記格納位置において対称をなす鉤状に形成されている点にある。そして、このような構成を採用したことにより、吊り下げ部を固定対象物に掛け止めることができ、掛け止め部に物品を吊り下げることができるので、ベース体および吊り下げ体を反転使用することができる。したがって、使用時に、ベース体および吊り下げ体の判別をしなくて済むので、操作性および使い勝手をより向上することができる。
【発明の効果】
【００２３】
請求項１に記載の本発明の吊り下げ具によれば、掛け止め部の掛け止め方向に沿った線とベース体の連結面とのなす平面角度を５−９０度の範囲から選択することにより、吊り下げ位置における掛け止め部の掛け止め方向に沿った線と吊り下げ部の吊り下げ方向に沿った線とのなす平面角度を１０−１８０度の範囲における所定角度とすることができるなどの優れた効果を奏する。また、請求項１に記載の本発明の吊り下げ具によれば、構造が簡単で小型かつ操作性に優れ、しかも簡単な操作でベース体の掛け止め部と吊り下げ体の吊り下げ部とが平行に隣接する携帯に便利な格納位置と、ベース体の掛け止め部位と吊り下げ体の吊り下げ部とが平行でない物品の吊り下げに便利な吊り下げ位置とを容易に得ることのできる安価な使い勝手のよいものとすることができるなどの優れた効果を奏する。
【００２４】
請求項２に記載の本発明の吊り下げ具によれば、固定対象物に対して物品を水平方向に直角にして吊り下げることができるなどの優れた効果を奏する。
【００２５】
請求項３に記載の本発明の吊り下げ具によれば、使用時に、ベース体および吊り下げ体を反転使用することができるなどの優れた効果を奏する。また、ベース体および吊り下げ体を反転使用することができるから、ベース体および吊り下げ体の判別をしなくて済むので、操作性および使い勝手をより向上することができるなどの優れた効果を奏する。
【図面の簡単な説明】
【００２６】
【図１】本発明に係る吊り下げ具の実施形態の要部を示す正面図であり、（ａ）は格納位置、（ｂ）は吊り下げ位置。
【図２】図１の実施形態の平面図であり、（ａ）は格納位置、（ｂ）は吊り下げ位置。
【図３】図１の実施形態の左側面図であり、（ａ）は格納位置、（ｂ）は吊り下げ位置。
【図４】図１の実施形態の右側面図であり、（ａ）は格納位置、（ｂ）は吊り下げ位置。
【図５】図１の実施形態の底面図であり、（ａ）は格納位置、（ｂ）は吊り下げ位置。
【図６】図１の実施形態の背面図であり、（ａ）は格納位置、（ｂ）は吊り下げ位置。
【発明を実施するための形態】
【００２７】
以下、本発明を図面に示す実施形態により説明する。
【００２８】
図１から図６は、本発明に係る吊り下げ具の実施形態を示すものであり、図１は正面図、図２は図１の平面図、図３は図１の左側面図、図４は図１の右側面図、図５は図１の底面図、図６は図１の背面図である。なお、図１から図６におけるそれぞれの（ａ）はベース体および吊り下げ体が格納位置にある携帯状態を示し、図１から図６におけるそれぞれの（ｂ）はベース体および吊り下げ体が吊り下げ位置にある使用状態を示している。また、図１から図６におけるそれぞれの（ｂ）は、固定したベース体に対して吊り下げ体が変位した状態を示している。
【００２９】
図１から図６に示すように、本実施形態の吊り下げ具１は、ベース体２と、吊り下げ体３と、連結軸４とを有している。ベース体２および吊り下げ体３は、それぞれの連結部で連結軸４を介して相対回転可能に形成されている。
【００３０】
前記ベース体２は、吊り下げ具１を図示しない固定対象物、例えばカウンターの縁部に掛け止めるための引っ掛け部位としての掛け止め部２１と、連結部としてのベース連結部２２とを具備している。
【００３１】
前記掛け止め部２１は、図６に示すように、後述する格納位置ＭＰにおいて全体として下向きに開口している上下方向に長い鉤状をなす平板状に形成されている。なお、掛け止め部２１の形状としては、固定対象物に掛け止ることのできる形状であればよい。
【００３２】
前記ベース連結部２２は、図３から図６に示すように、全体として上下方向に長い三角柱状に形成されている。また、ベース連結部２２の３つの側面のうち図２（ｂ）の右斜め下方を向いた側面は、連結面としてのベース連結面２３とされている。このベース連結面２３は、連結軸４の軸線Ｒに対して直交する方向に沿って形成されており、このベース連結面２３の中央部に連結軸４の一端部が固着あるいは枢着されている。
【００３３】
前記掛け止め部２１のベース連結面２３側に位置する側面は、平坦なベース側面２４とされており、このベース側面２４は、図２に示すように、掛け止め部２１の掛け止め方向に沿った線ＬＨに沿って配置されている。
【００３４】
前記ベース体２は、掛け止め部２１の掛け止め方向に沿った線ＬＨとベース連結面２３とのなす平面角度αが５−９０度の範囲から選択された角度、本実施形態においては４５度となるように形成されている（α＝４５度）。なお、平面角度αの値は、設計コンセプトおよび仕様などの必要に応じて５−９０度の範囲から設定される。本発明において、平面角度αのより好ましい角度は１５−７５度であり、この場合、平面角度γは３０−１５０度の範囲における所定角度とすることができる。
【００３５】
前記吊り下げ体３は、物品、例えば鞄を吊り下げるための吊り下げ部３１と連結部としての吊り連結部３２とを具備している。
【００３６】
前記吊り下げ部３１は、図１（ａ）に示すように、後述する格納位置ＭＰにおいて全体として下向きに開口している上下方向に長い鉤状をなす平板状に形成されており、図１（ｂ）に示すように、後述する吊り下げ位置ＵＰにおいては全体として上向きに開口している。すなわち、本実施形態における吊り下げ部３１は、掛け止め部２１と対称に形成されている。なお、吊り下げ部３１の形状としては、物品を吊り下げることのできる形状であればよい。
【００３７】
前記吊り連結部３２は、図３から図６に示すように、全体として上下方向に長い三角柱状に形成されている。また、吊り連結部３２の３つの側面のうち図２（ｂ）の左斜め上方を向いた側面は、連結面としての吊り連結面３３とされている。この吊り連結面３３は、連結軸４の軸線Ｒに対して直交する方向に沿って形成されており、この吊り連結面３３の中央部に連結軸４の他端部が枢着あるいは固着されている。また、吊り連結面３３は、格納位置ＭＰにおいてベース連結面２３と対向配置されるので、格納位置ＭＰにおいて掛け止め部２１の掛け止め方向に沿った線ＬＨと吊り連結面３３とのなす平面角度は、掛け止め部２１の掛け止め方向に沿った線ＬＨとベース連結面２３とのなす平面角度αと同一になる。
【００３８】
前記吊り下げ部３１の吊り連結面３３側に位置する側面は、平坦な吊り側面３４とされており、この吊り側面２４は、図２（ａ）に示す格納位置ＭＰにおいては掛け止め部２１の掛け止め方向に沿った線ＬＨに沿って配置され、図２（ｂ）に示す吊り下げ位置ＵＰにおいては吊り下げ部３１の吊り下げ方向に沿った線ＬＤに沿って配置されるようになっている。
【００３９】
前記ベース体２および吊り下げ体３の素材としては、プラスチックや、金属を挙げることができる。
【００４０】
本実施形態のベース体２および吊り下げ体３は、プラスチックを素材とし金型を用いた射出成型により形成されている。
【００４１】
前記連結軸４は、ベース体２のベース連結部２２および吊り下げ体３の吊り連結部３２を相対回転可能に連結するためのものであり、一端部がベース連結部２２に固着および／または枢着され、他端部が吊り連結部３２に枢着および／または固着されている。また、ベース体２および吊り下げ体３が連結軸４によって連結された場合、ベース連結面２３と吊り連結面３３とが対向するように対向配置されている。
【００４２】
前記連結軸４としては、ベース体２のベース連結部２２および吊り下げ体３の吊り連結部３２を相対回転可能に連結するとともに、ベース体２および吊り下げ体３を連結軸４に連結した状態において、ベース体２および吊り下げ体３が外れないようにできるものであればよい。
【００４３】
前記連結軸４の素材としては、金属や、プラスチックを挙げることができる。本実施形態においては、金属、例えばステンレスが用いられている。
【００４４】
なお、連結軸４は、プラスチックを射出成型してベース体２および吊り下げ体３を形成する際に、連結軸４をインサート成型することにより、ベース体２および吊り下げ体３の一方に一体に形成することができる。このように、連結軸４をベース体２および吊り下げ体３の一方に一体に形成することにより、吊り下げ具１の製造工程を簡素化することができる。勿論、ベース体２、吊り下げ体３および連結軸４の３つの構成部品を個別に形成し、３つの構成部品を組み立てて吊り下げ具１を得る製造工程であってもよい。
【００４５】
前記連結軸４によって連結されたベース体２および吊り下げ体３、すなわち吊り下げ具１は、吊り下げ部３１が掛け止め部２１と平行に隣接する格納位置ＭＰと、吊り下げ部３１が連結軸４を中心として掛け止め部２１の反対側に離間する吊り下げ位置ＵＰとの２位置を取り得るように変位可能に形成されている。
【００４６】
本実施形態の吊り下げ具１は、吊り下げ体３の吊り連結部３２が連結軸４を中心として回転し、この吊り連結部３２の回転に同期して吊り下げ部３１がねじり回転するように形成されている。
【００４７】
なお、ベース連結部２２および吊り連結部３２のそれぞれが連結軸４に回転自在に支持される構成とした場合には、ベース連結部２２および吊り連結部３２のそれぞれが連結軸４を中心として回転するとともに、掛け止め部２１および吊り下げ部３１の一方が他方に対して、あるいは他方が一方に対してねじり回転することになる。
【００４８】
ここで、本実施形態の吊り下げ具１は、掛け止め部２１の掛け止め方向に沿った線ＬＨとベース体２のベース連結面２３とのなす平面角度αが４５度にされているから、本実施形態の吊り下げ具１が吊り下げ位置ＵＰとなった場合、図２に示すように、吊り下げ位置ＵＰにおける掛け止め部２１の掛け止め方向に沿った線ＬＨと吊り下げ部３１の吊り下げ方向に沿った線ＬＤとのなす平面角度γは９０度（γ＝２α）になる。
【００４９】
なお、平面角度αは、５−９０度の範囲から選択することができるので、平面角度αを最小の５度とした場合には、平面角度γは最小の１０度となり、平面角度αを最大の９０度とした場合には、平面角度γは最大の１８０度となる。
【００５０】
したがって、本実施形態の吊り下げ具１は、プラスチックにより形成されたベース体２とプラスチックにより形成された吊り下げ体３とが金属により形成された連結軸４により相対回転するように連結されているとともに、ベース体２および吊り下げ体３は、図１から図６のそれぞれの（ａ）に示す吊り下げ部３１が掛け止め部２１と平行に隣接する格納位置ＭＰと、図１から図６のそれぞれの（ｂ）に示す吊り下げ部３１が連結軸４を中心として掛け止め部２１の反対側に離間し、かつ平面角度γが９０度の角度を取る吊り下げ位置ＵＰとの２位置を取り得るように変位可能に形成されている。
【００５１】
また、本実施形態の吊り下げ具１は、格納位置ＭＰにおいては、ベース体２の掛け止め部２１と吊り下げ体３の吊り下げ部３１とがそれぞれの厚さ方向にぴったり重なるとともに、ベース連結部２２と吊り連結部３２とが全体として四角柱をなすように重なるように形成されている。すなわち、掛け止め部２１および吊り下げ部３１は、格納位置ＭＰにおいて相互の対向面を対称面として対称をなす鉤状に形成されている。
【００５２】
さらに、本実施形態の吊り下げ具１は、格納位置ＭＰにある吊り下げ体３を図１の反時計方向へ１８０度回転させることにより吊り下げ位置ＵＰに変位させることができ、吊り下げ位置ＵＰにある吊り下げ体３を図１の時計方向へ１８０度回転させることにより格納位置ＭＰに変位できるように形成されている。
【００５３】
つぎに、前述した構成からなる本実施形態の作用について説明する。
【００５４】
本実施形態の吊り下げ具１を携帯する場合には、ベース体２および吊り下げ体３を図１から図６のそれぞれの（ａ）に示す格納位置ＭＰとする。この時、掛け止め部２１と吊り下げ部３１とが連結軸４を中心として閉じられて掛け止め部２１と吊り下げ部３１が平行に隣接するように配置されるので、コンパクトな携帯に便利な形状にできる。
【００５５】
また、本実施形態の吊り下げ具１を使用する場合には、ベース体２および吊り下げ体３を図１から図６のそれぞれの（ｂ）に示す吊り下げ位置ＵＰとする。具体的には、掛け止め部２１と吊り下げ部３１とが開くように連結軸４を中心としてベース体２および吊り下げ体３を相対回転し、吊り下げ部３１を掛け止め部２１の反対側の位置とする。この時、掛け止め部２１を手にもって固定すると、吊り連結部３２が連結軸４を中心として回転し、吊り下げ部３１は、掛け止め部２１に対して９０度ねじり回転する。そして、掛け止め部２１を固定対象物、例えばカウンターの縁部に掛け止めることにより、吊り下げ部３１を物品、例えば鞄の吊り下げに供することができる。
【００５６】
このように、本実施形態の吊り下げ具１によれば、ベース体２の掛け止め部２１は、ベース体２、ひいては吊り下げ具１を固定対象物に確実かつ容易に掛け止めることができる。
【００５７】
さらに、本実施形態の吊り下げ具１によれば、吊り下げ体３の吊り下げ部３１は、吊り下げ体３に物品を確実かつ容易に吊り下げることができる。
【００５８】
また、本実施形態の吊り下げ具１によれば、連結軸４は、ベース体２および吊り下げ体３を確実に相対回転するように連結することができる。
【００５９】
さらに、本実施形態の吊り下げ具１によれば、ベース体２および吊り下げ体３を連結軸４により相対回転可能に連結した構成とされているから、構成部品の部品点数をベース体２、吊り下げ体３および連結軸４の３点とすることができるので、小型化、軽量化、低コスト化を容易に図ることができる。
【００６０】
さらにまた、本実施形態の吊り下げ具１によれば、ベース体２および吊り下げ体３を相対回転させるという簡単な操作により、格納位置ＭＰと吊り下げ位置ＵＰを選択することができるので、操作性が向上する。
【００６１】
また、本実施形態の吊り下げ具１によれば、ベース体２および吊り下げ体３を格納位置ＭＰに位置させると、掛け止め部２１と吊り下げ部３１とが重なるように閉じた携帯状態とすることができるので、かさばらず携帯に便利なものとすることができる。
【００６２】
さらに、本実施形態の吊り下げ具１によれば、ベース体２および吊り下げ体３を吊り下げ位置ＵＰに位置させると、掛け止め部２１に対して吊り下げ部３１の位置を平面角度γだけ水平方向に回転させた位置とすることができるので、ベース体２および吊り下げ体３を相対回転させるという簡単な操作により、掛け止め部２１と吊り下げ体３の吊り下げ部３１とが平行でない物品を吊り下げる吊り下げ状態を容易かつ確実に得ることができる。
【００６３】
さらにまた、本実施形態の吊り下げ具１によれば、平面角度γが１０−１８０度の範囲から設定した角度に固定されているので、吊り下げ部３１に吊り下げた物品に何らかの理由により水平方向から外力が加わった場合であっても、物品が水平方向に回転するのを確実に防止することができる。
【００６４】
したがって、本実施形態の吊り下げ具１によれば、掛け止め部２１の掛け止め方向に沿った線ＬＨとベース体２のベース連結面２３とのなす平面角度αを５−９０度の範囲から選択することにより、吊り下げ位置ＵＰにおける掛け止め部２１の掛け止め方向に沿った線ＬＨと吊り下げ部３１の吊り下げ方向に沿った線ＬＤとのなす平面角度γを確実かつ容易に１０−１８０度の範囲における所定角度とすることができる。
【００６５】
また、本実施形態の吊り下げ具１によれば、構造が簡単で小型かつ操作性に優れ、しかも簡単な操作でベース体２の掛け止め部２１と吊り下げ体３の吊り下げ部３１とが平行な携帯に便利な格納状態と、ベース体２の掛け止め部２１と吊り下げ体３の吊り下げ部３１とが平行でない物品の吊り下げに便利な使用状態とを容易に得ることのできる安価な使い勝手のよいものとすることができる。
【００６６】
また、本実施形態の吊り下げ具１によれば、平面角度γが９０度に固定されているので、固定対象物に対して物品を水平方向に直角にして吊り下げることができる。
【００６７】
さらに、本実施形態の吊り下げ具１によれば、掛け止め部２１および吊り下げ部３１が格納位置ＭＰにおいて対称をなす鉤状に形成されているから、吊り下げ部３１を固定対象物に掛け止めることができ、掛け止め部２１に物品を吊り下げることができるので、ベース体２および吊り下げ体３を反転使用することができる。
【００６８】
したがって、本実施形態の吊り下げ具１によれば、使用時に、ベース体２および吊り下げ体３の判別をしなくて済むので、操作性および使い勝手をより向上することができる。
【００６９】
なお、本発明は、前述した実施形態に限定されるものではなく、必要に応じて種々の変更が可能である。例えば、ベース体の掛け止め部の形状として、断面逆Ｌ字状、掛け止め用の孔を設けた平板状、リング状などを用いることができる。なお、掛け止め部の形状を断面逆Ｌ字状とした場合、少なくとも固定対象物との接触部に滑り止めを設けるとよい。また、ベース体を平板状に形成し、このベース体に吊り下げ体を複数個設置することにより、本発明の吊り下げ具を例えば衣服用フックとして壁等に取り付けることもできる。この場合、吊り下げ体の格納時は吊り下げ体がベース体の板面にピッタリと納まって邪魔にならず、また、吊り下げ体をフックとして使用する際には、吊り下げ体を引き出すのみで、容易に壁に対し所定の角度、例えば直角にすることができる。
【符号の説明】
【００７０】
１  吊り下げ具
２  ベース体
３  吊り下げ体
４  連結軸
２１  掛け止め部
２２  ベース連結部
２３  ベース連結面
２４  ベース側面
３１  吊り下げ部
３２  吊り連結部
３３  吊り連結面
３４  吊り側面
Ｒ    連結軸の軸線
α    掛け止め部の掛け止め方向に沿った線とベース体の連結面とのなす平面角度
γ    吊り下げ位置における掛け止め部の掛け止め方向に沿った線と吊り下げ部の吊り下げ方向に沿った線とのなす平面角度
ＬＨ  掛け止め部の掛け止め方向に沿った線
ＬＤ  吊り下げ部の吊り下げ方向に沿った線
ＭＰ  格納位置
ＵＰ  吊り下げ位置
【図１】
2011200286.tif 000003
【図２】
2011200286.tif 000004
【図３】
2011200286.tif 000005
【図４】
2011200286.tif 000006
【図５】
2011200286.tif 000007
【図６】
2011200286.tif 000008